(57)【要約】【課題】  野外での大きな刈り草やゴミ等を楽に収納が出来るようにゴミ収納口を大きく開放した。またゴミ袋に雨水が入らないように蓋を一体化で装備し、軽快にゴミ輸送の運搬が出来るようにするための大きなストッパー付きキャスターを取り付け未使用時にはワンタッチで、コンパクトな形状に折畳まれるようにしたゴミ収納運搬具を提供する。【解決手段】本発明は  支軸パイプ本体に把手支持部とストッパ−付きキャスターを備えた袋ガイド部本体と袋押え部本体及び雨水防止蓋本体を設け、ゴミ袋受け板本体と袋ガイド部本体に軸架保持ポール本体を装着し連動させた事を特徴とする野外用折畳み式ゴミ収納運搬具である【選択図】図１
0003167604.tif 000002
【実用新案登録請求の範囲】
【請求項１】
支軸パイプ本体に把手支持部とストッパー付きキャスターを備え部材持設支柱板の背面側に挟着支柱を備え支軸パイプ本体に固着するように設け、部材持設支柱板の表面の上部面に支柱板固定部を設け、軸支受け部並びに袋ガイド用軸支筒部を備えた軸受け部本体を支柱板固定部に固定する用に設け、部材持設支柱板の表面の下部面に受け板用軸支筒本体固定部を設け、受け板用軸支筒部を備えた受け板用軸受け部本体を受け板用軸支筒本体固定部に固定する用に設け、軸受け部本体に備えた袋ガイド用軸支筒部の両端に袋ガイド部本体に備えた袋ガイド用軸部を遊挿するように嵌入し、軸受け部本体に備えたと軸支繋ぎ部からなる軸支受けネジ部を備えた軸支受け部に、袋捲き支承部と把手部を備えた袋抑え部本体に設けた軸支孔を軸支受け部の両軸に挿通するように設け、支承受け部及び保持ポール支承受け部と把手部を備えた雨水防止蓋本体に設けた軸支孔を軸支受け部の両軸に挿通するように設け、軸支受け部に遊貫するように袋挟持部本体と雨水防止蓋本体に備えた軸支孔に挿通後、軸支受け部に設けた軸支受けネジ部に抑えキャップで係止するようにも設け、ゴミ袋受け板本体の底面に設けた留め具に係止枢支筒部を備え開脚止めを備えた固定脚部の軸部を軸支するように嵌入し、ゴミ袋受け板本体に備えた受け板用軸部を受け板用軸受け部本体の受け板用軸支筒部に軸支するように嵌入し、軸架保持ポール本体に備えた上部リングを袋捲着する袋ガイド部本体正面中央部分に係着するように環装させるように設け、軸架保持ポール本体に備えた下部リングをゴミ袋受け板本体に備えた把持孔に係着するように環装させるように設け、軸架保持ポール本体に備えた上部リングと下部リングで係合することにより袋ガイド部本体と、ゴミ袋受け板本体係止することを特徴とする野外用折畳み式ゴミ収納運搬具。
【請求項２】
下部リングをゴミ袋受け板本体に備えた把持孔に嵌通するように嵌入し環装させるように設け、袋ガイド部本体とゴミ袋受け板本体を係合するように軸架保持ポール本体を設けることにより、軸架保持ポール本体を握持し、上方に持ち上げるとゴミ袋受け板本体に備えた受け板用軸部が受け板用軸受け部本体に備えた受け板用軸支筒部と係合し容易に上方にゴミ袋受け板本体は連動し、軸架保持ポール本体に設けた上部リングは袋ガイド部本体と連動し、軸受け部本体に係合している袋押え部本体と雨水防止蓋本体も連動することを特徴としコンパクトに折畳むことができる野外用折畳み式ゴミ収納器具。
【考案の詳細な説明】
【技術分野】
【０００１】  この考案は、野外でのゴミを楽に収納が出来るように、ゴミ収納口をおさえ大きく開放し、ゴミ袋に雨水が入らないように蓋を一体化で装備し、軽快にゴミ輸送の運搬が出来るようにするための大きなストッパー付きキャスターを取り付け、未使用時には、ワンタッチで、コンパクトな形状に折畳まれるようにしたゴミ収納運搬具で、
袋ガイド部本体と袋押え部本体及び雨水防止蓋本体を設け、ゴミ袋受け板本体と袋ガイド部本体に軸架保持ポール本体を介在させることにより、折たたむ事ができ、使用時にはゴミ袋受け板本体と袋ガイド部本体が連動し、ワンタッチで開放型の大きなゴミ袋の口径を形成し、野外にての大きなゴミも容易に収納ができる野外用折畳み式ゴミ収納運搬具に関するものである。
【背景技術】
【０００２】  イ、従来、野外においての草やゴミ収集は片側の手でゴミ袋単体を持ちもう一方の手でポリ袋の口を開き、片手でゴミを収納していた。
ロ、従来、ガサの有るゴミは、一輪車などでゴミ捨て場迄運んでいた。
ハ、従来、収納し溜ったゴミは重量物になりやすく、薄いゴミ袋では裂けることがあるので野外でのゴミ収納は小袋でのゴミを主体にしていた。
【先行技術文献】
【特許文献】
【特許文献】  特許公開平９−１９３８０８
【特許文献】  特許公開２００５−２８９３４４
【実用新案文献】
登録実用新案第３００９５１７号
【考案の開示】
【考案が解決しようとする課題】
【０００３】そのために次のような問題点があった。
イ、片方の手が塞がっているため両手を用いるようなゴミ処理は、避けざるを得なかった、また刈り草などはガサになり収集が不便であった。
ロ、片方の手で、袋を支えるため、ゴミ収納の重量や形状大きさに限界があったその為に、ゴミ収集効率が非常に悪く、作業がはかどらないため、作業疲れが出たりして、体にも悪い影響もあった。
ハ、収納し溜ったゴミは、重く、ガサになり、持ち運ぶには、労力が必要で女性の仕事には不向きであった。
ニ、従来、収納し溜ったゴミは重量物になりやすく、薄いゴミ袋では避けることがあるので、大きな袋は野外でのゴミ収納には不向きであった。
ホ、キャスター付の手押し運搬車はあったが、ゴミが袋に入ったものを、運搬するもので、ゴミを集めて収納するものではなかった。
ヘ、キャスター付の手押しのゴミカートはあったが、キャスターが小さく室内向きで野外用には不向きであった。
ト、ゴミ受け部がアミやカゴ等だとその孔にゴミが、引っ掛ることがあった。
本考案は以上の問題点を解決するためになされたものである。
【課題を解決するための手段】
【０００４】  ストッパー付きキャスターと把手支持部を備えた支軸パイプ本体に連結するように設け、雨が降ってもゴミが入っているゴミ袋に雨などが入らないよう、袋ガイド部本体と袋押え部本体及び雨水防止蓋本体を設け、ゴミ袋受け板本体と袋ガイド部本体に軸架保持ポール本体を介在させることにより、コンパクトに折畳む事ができ、使用時には軸架保持ポール本体を把持して引き下げることで、袋ガイド部本体と袋押え部本体及び雨水防止蓋本体は、連動でワンタッチで開放型の大きなゴミ袋の口径を形成し、野外にてのゴミを楽に収納ができる野外用折畳み式ゴミ収納運搬具である。
【考案の効果】
【０００５】  ストッパー付き大きなキャスターが把手支持部を備えた支軸パイプ本体に連結するように設けてあるので、野外での搬送が容易であり、袋ガイド部本体と袋押え部本体及び雨水防止蓋本体を設けてあるので、多少の雨の中でもゴミ作業が出来、ゴミ袋受け板本体と袋ガイド部本体に  軸架保持ポール本体を介在させることにより、コンパクトに折畳む事ができ使用時には袋ガイド部本体と袋押え部本体及び雨水防止蓋本体は連動でワンタッチで開放型の大きなゴミ袋の口径を形成し野外にてのゴミを楽に収納ができる。
【考案を実施するための最良の形態】
【０００６】  以下本考案の実施の形態について説明する。
（イ）支軸パイプ本体（１）に把手支持部（４）とストッパー付きキャスター（５）備え、部材持設支柱板（２）の背面側に挟着支柱（３）を備え支軸パイプ本体（１）に固着するように設ける。
（ロ）部材持設支柱板（２）の表面の上部面に支柱板固定部（９）を設け、軸支受け部（３４）並びに袋ガイド用軸支筒部（１０）を備えた軸受け部本体（３３）を支柱板固定部（９）に固定する用に設ける。
（ハ）部材持設支柱板（２）の表面の下部面に受け板用軸支筒本体固定部（６）を設け、受け板用軸支筒部（７）を備えた受け板用軸受け部本体（３７）を受け板用軸支筒本体固定部（６）に固定する用に設ける。
（ニ）軸受け部本体（３３）に備えた袋ガイド用軸支筒部（１０）の両端に袋ガイド部本体（１１）に備えた袋ガイド用軸部（３２）（３２）を遊挿するように嵌入する。
（ホ）軸受け部本体（３３）に備えたと軸支繋ぎ部（１２）からなる軸支受けネジ部（３５）（３５）を備えた軸支受け部（３４）に、袋ガイド支承部（３１）と把手部（１５）を備えた袋抑え部本体（１４）に設けた軸支孔（３０）（３０）を軸支受け部（３４）の両軸に挿通するように設ける。
（ヘ）支承受け部（２８）及び保持ポール支承受け部（２９）と把手部（１７）を備えた雨水防止蓋本体（１６）に設けた軸支孔（２７）（２７）を軸支受け部（３４）の両軸に挿通するように設ける。
（ト）軸支受け部（３４）に遊貫するように袋押え部本体（１４）と雨水防止蓋本体（１６）に備えた軸支孔（２７）（２７）に挿通後、軸支受け部（３４）に設けた軸支受けネジ部（３５）（３５）に抑えキャップ（１３）（１３）で係止するようにも設ける。
（チ）ゴミ袋受け板本体（８）の底面に設けた留め具（３９）に係止枢支筒部（１９）を備え開脚止め（２１）を備えた固定脚部（２０）の軸部（４０）（４０）を軸支するように係止枢支筒部（１９）に嵌入する。
（リ）ゴミ袋受け板本体（８）に備えた受け板用軸部（３８）（３８）を受け板用軸受け部本体（３７）の受け板用軸支筒部（７）に軸支するように嵌入する。
（ヌ）軸架保持ポール本体（２２）に備えた上部リング（２３）を袋捲着する袋ガイド部本体（１１）正面中央部分に係着するように環装させるように設ける。
（ル）軸架保持ポール本体（２２）に備えた下部リング（２４）をゴミ袋受け板本体（８）に備えた把持孔（１８）に係着するように環装させるように設ける。
（オ）軸架保持ポール本体（２２）に備えた上部リング（２３）と下部リング（２４）で係合するように装着し、袋ガイド部本体（１１）とゴミ袋受け板本体（８）を係止する。
本考案は、以上の構造でこれを使用するときは、袋ガイド部本体（１３）とゴミ袋受け板本体（８）を係合するように軸架保持ポール本体（２２）を設けることにより軸架保持ポール本体（２２）を握持し上方に持ち上げると、軸架保持ポール本体（２２）に備えた下部リング（２４）はゴミ袋受け板本体（８）に備えた把持孔（１８）に係着してゴミ袋受け板本体（８）は上方に持ち上がり、軸架保持ポール本体（２２）の上部に設けた上部リング（２３）は袋ガイド部本体（１１）と連動し、軸受け部本体（３３）に係合している袋押え部本体（１４）と雨水防止蓋本体（１６）も連動し折たたまれる。また使用時は軸架保持ポール本体（２２）を握持し下方に下げると、雨水防止蓋本体（１６）・袋押え部本体（１４）・袋ガイド部本体（１１）・ゴミ袋受け板本体（８）は連動し、開口形のゴミ袋（４１）を装着した野外用ゴミ収納運搬具になる。
【図面の簡単な説明】
【０００７】
【図１】  本考案の実施例を示す斜視図
【図２】  本考案の運搬具母体を示す斜視図
【図３】  本考案の雨水防止蓋本体の上部面の蓋を示す斜視図
【図４】  本考案の雨水防止蓋本体の蓋の裏面を示す斜視図
【図５】  本考案の袋ガイド部本体を示す斜視図
【図６】  本考案の袋ガイド部本体を示す斜視図
【図７】  本考案の軸受け部本体と部材特設支柱板を示す斜視図
【図８】  本考案の一実施例を示す平面図
【図９】  本考案のゴミ袋受け板と受け板軸支を示す斜視図
【図１０】  本考案の軸架保持ポール本体を示す斜視図
【図１１】  本考案の折たたみ状態を示す右側面図
【０００８】  １    支軸パイプ本体
２    部材持設支柱板
３    挟着支柱
４    把手支持部
５    ストッパー付きキャスター
６    受け板軸支筒本体固定部
７    受け板用軸支筒部
８    ゴミ袋受け板本体
９    支柱板固定部
１０    袋ガイド用軸支筒部
１１    袋ガイド部本体
１２    軸支繋ぎ部
１３    抑えキャップ
１４    袋押え部本体
１５    把手部
１６    雨水防止蓋本体
１７    把手部
１８    把持孔
１９    係止枢支筒部
２０    固定脚部
２１    開脚止め
２２    軸架保持ポール本体
２３    上部リング
２４    下部リング
２５    挟持掛部
２６    車軸
２７    軸支孔
２８    支承受け部
２９    保持ポール支承受け部
３０    軸支孔
３１    袋ガイド支承部
３２    袋ガイド用軸部
３３    軸受け部本体
３４    軸支受け部
３５    軸支受けネジ部
３６    止めネジ孔
３７    受け板用軸受け部本体
３８    受け板用軸部
３９    留め具
４０    軸部
４１    ゴミ袋
【図１】
0003167604.tif 000003
【図２】
0003167604.tif 000004
【図３】
0003167604.tif 000005
【図４】
0003167604.tif 000006
【図５】
0003167604.tif 000007
【図６】
0003167604.tif 000008
【図７】
0003167604.tif 000009
【図８】
0003167604.tif 000010
【図９】
0003167604.tif 000011
【図１０】
0003167604.tif 000012
【図１１】
0003167604.tif 000013
【手続補正書】
【提出日】平成23年2月14日(2011.2.14)
【手続補正１】
【補正対象書類名】実用新案登録請求の範囲
【補正対象項目名】請求項２
【補正方法】変更
【補正の内容】
【請求項２】
下部リングをゴミ袋受け板本体に備えた把持孔に嵌通するように嵌入し環装させるように設け、袋ガイド部本体とゴミ袋受け板本体を係合するように軸架保持ポール本体を設けることにより、軸架保持ポール本体を握持し、上方に持ち上げるとゴミ袋受け板本体に備えた受け板用軸部が受け板用軸受け部本体に備えた受け板用軸支筒部と係合し容易に上方にゴミ袋受け板本体は連動し、軸架保持ポール本体に設けた上部リングは袋ガイド部本体と連動し軸受け部本体に係合している袋押え部本体と雨水防止蓋本体も連動することを特徴とする請求項１記載の野外用折畳み式ゴミ収納器具。